(57)【特許請求の範囲】
【請求項１】
ワイヤレス通信ネットワーク中でシグナリングを送る方法において、
プロセッサによって、優先順位レベルに関係付けられているシグナリングメッセージを送るために予約されている１セットの副搬送波を決定することと、
前記プロセッサによって、前記シグナリングメッセージの前記優先順位レベルに基づいて、前記１セットの副搬送波中の少なくとも１つの副搬送波を選択することと、
送信機によって、複数のシンボル期間中に前記少なくとも１つの副搬送波上で、前記シグナリングメッセージを伝えるための信号を送ることとを含み、
前記予約されている１セットの副搬送波中の副搬送波は、異なる優先順位レベルに関係付けられている方法。
【請求項２】
前記信号を送ることは、送信機局から、前記送信機局と非同期的に動作する少なくとも１つの受信機局に前記信号を送ることを含む請求項１記載の方法。
【請求項３】
送信機局に対する干渉を減少させるように少なくとも１つの干渉局に要請する干渉減少要求を含む、前記シグナリングメッセージを発生させることをさらに含む請求項１記載の方法。
【請求項４】
前記シグナリングメッセージは、０ないしＭ−１の範囲内のビットの数を含み、ここで、Ｍは１よりも大きく、前記１セット中の副搬送波は、インデックス０ないしＭ−１に割り当てられており、Ｘのインデックスを持つ副搬送波は、前記シグナリングメッセージに対するＸの値に基づいて選択され、Ｘは０ないしＭ−１の範囲内である請求項１記載の方法。
【請求項５】
前記信号を送ることは、前記複数のシンボル期間中に前記少なくとも１つの副搬送波上で、前記シグナリングメッセージを伝えるための位相連続信号を送ることを含む請求項１記載の方法。
【請求項６】
前記１セットの副搬送波を決定することは、基地局の電力クラスに基づいて、複数のセットの副搬送波のうちの１つを選択することを含み、前記複数のセットの副搬送波は、異なる電力クラスの基地局によって、シグナリングメッセージの送信のために予約されている請求項１記載の方法。
【請求項７】
前記１セットの副搬送波を決定することは、前記シグナリングメッセージに対する送信電力に基づいて、複数のセットの副搬送波のうちの１つを選択することを含み、前記複数のセットの副搬送波は、異なる送信電力レベルでのシグナリングメッセージの送信のために予約されている請求項１記載の方法。
【請求項８】
前記１セットの副搬送波は、前記ワイヤレス通信ネットワークにおける１つのセル中でシグナリングメッセージを送るために予約され、複数のセットの副搬送波は、前記ワイヤレス通信ネットワークにおける異なるセル中でシグナリングメッセージを送るために予約される請求項１記載の方法。
【請求項９】
前記１セットの副搬送波は、前記ワイヤレス通信ネットワークにおけるすべてのセル中でシグナリングメッセージを送るために予約される請求項１記載の方法。
【請求項１０】
ワイヤレス通信のための装置において、
優先順位レベルに関係付けられているシグナリングメッセージを送るために予約されている１セットの副搬送波を決定する手段と、
前記シグナリングメッセージの前記優先順位レベルに基づいて、前記１セットの副搬送波中の少なくとも１つの副搬送波を選択する手段と、
複数のシンボル期間中に前記少なくとも１つの副搬送波上で、前記シグナリングメッセージを伝えるための信号を送る手段とを具備し、
前記予約されている１セットの副搬送波中の副搬送波は、異なる優先順位レベルに関係付けられている装置。
【請求項１１】
前記信号を送る手段は、送信機局から、前記送信機局と非同期的に動作する少なくとも１つの受信機局に前記信号を送る手段を備える請求項１０記載の装置。
【請求項１２】
送信機局に対する干渉を減少させるように少なくとも１つの干渉局に要請する干渉減少要求を含む、前記シグナリングメッセージを発生させる手段をさらに具備する請求項１０記載の装置。
【請求項１３】
前記信号を送る手段は、前記複数のシンボル期間中に前記少なくとも１つの副搬送波上で、前記シグナリングメッセージを伝えるための位相連続信号を送る手段を備える請求項１０記載の装置。
【請求項１４】
ワイヤレス通信のための装置において、
優先順位レベルに関係付けられているシグナリングメッセージを送るために予約されている１セットの副搬送波を決定し、前記シグナリングメッセージの前記優先順位レベルに基づいて、前記１セットの副搬送波中の少なくとも１つの副搬送波を選択し、複数のシンボル期間中に前記少なくとも１つの副搬送波上で、前記シグナリングメッセージを伝えるための信号を送るように構成されている少なくとも１つのプロセッサを具備し、
前記予約されている１セットの副搬送波中の副搬送波は、異なる優先順位レベルに関係付けられている装置。
【請求項１５】
前記少なくとも１つのプロセッサは、送信機局から、前記送信機局と非同期的に動作する少なくとも１つの受信機局に前記信号を送るように構成されている請求項１４記載の装置。
【請求項１６】
前記少なくとも１つのプロセッサは、送信機局に対する干渉を減少させるように少なくとも１つの干渉局に要請する干渉減少要求を含む、前記シグナリングメッセージを発生させるように構成されている請求項１４記載の装置。
【請求項１７】
前記少なくとも１つのプロセッサは、前記複数のシンボル期間中に前記少なくとも１つの副搬送波上で、前記シグナリングメッセージを伝えるための位相連続信号を送るように構成されている請求項１４記載の装置。
【請求項１８】
コンピュータ読み取り可能記憶媒体において、
優先順位レベルに関係付けられているシグナリングメッセージを送るために予約されている１セットの副搬送波を少なくとも１つのコンピュータに決定させるためのコードと、
前記シグナリングメッセージの前記優先順位レベルに基づいて、前記１セットの副搬送波中の少なくとも１つの副搬送波を前記少なくとも１つのコンピュータに選択させるためのコードと、
複数のシンボル期間中に前記少なくとも１つの副搬送波上で、前記シグナリングメッセージを伝えるための信号を前記少なくとも１つのコンピュータに送らせるためのコードとを含み、
前記予約されている１セットの副搬送波中の副搬送波は、異なる優先順位レベルに関係付けられているコンピュータ読み取り可能記憶媒体。
【請求項１９】
ワイヤレス通信ネットワーク中でシグナリングを受信する方法において、
プロセッサによって、優先順位レベルに関係付けられているシグナリングメッセージを送るために予約されている１セットの副搬送波を決定することと、
受信機によって、前記１セットの副搬送波中のそれぞれの副搬送波に対する受信シンボルを取得することと、
前記プロセッサによって、前記副搬送波に対する前記受信シンボルに基づいて、前記１セットの副搬送波中のそれぞれの副搬送波の受信電力を決定することと、
前記プロセッサによって、それぞれの副搬送波の前記受信電力に基づいて、前記１セットの副搬送波上で送られたシグナリングメッセージを検出することとを含み、
前記予約されている１セットの副搬送波中の副搬送波は、異なる優先順位レベルに関係付けられており、
それぞれのシグナリングメッセージは、複数のシンボル期間中に少なくとも１つの特定の副搬送波上で送られる方法。
【請求項２０】
前記検出したシグナリングメッセージから干渉減少要求を取得することと、
前記干渉減少要求に基づいて、送信電力を減少させることとをさらに含む請求項１９記載の方法。
【請求項２１】
前記それぞれの副搬送波に対する受信シンボルを取得することは、前記シグナリングメッセージを送る送信機局と非同期的に動作する受信機局のシンボルタイミングに基づいて、それぞれの副搬送波に対する前記受信シンボルを取得することを含む請求項１９記載の方法。
【請求項２２】
前記シグナリングメッセージを検出することは、
前記１セットの副搬送波中のそれぞれの副搬送波の前記受信電力を、しきい値と比較することと、
前記しきい値を超える受信電力を有するそれぞれの副搬送波上で、シグナリングメッセージを検出することと、
前記シグナリングメッセージが検出された前記副搬送波に基づいて、それぞれの検出したシグナリングメッセージに対する情報を取得することとを含む請求項１９記載の方法。
【請求項２３】
異なる送信電力レベルで、または、異なる電力クラスの基地局によって、シグナリングメッセージを送るために予約されている複数のセットの副搬送波を決定することと、
前記複数のセットの副搬送波のそれぞれ上で送られたシグナリングメッセージを検出することとをさらに含む請求項１９記載の方法。
【請求項２４】
ワイヤレス通信のための装置において、
優先順位レベルに関係付けられているシグナリングメッセージを送るために予約されている１セットの副搬送波を決定する手段と、
前記１セットの副搬送波中のそれぞれの副搬送波に対する受信シンボルを取得する手段と、
前記副搬送波に対する前記受信シンボルに基づいて、前記１セットの副搬送波中のそれぞれの副搬送波の受信電力を決定する手段と、
それぞれの副搬送波の前記受信電力に基づいて、前記１セットの副搬送波上で送られたシグナリングメッセージを検出する手段とを具備し、
前記予約されている１セットの副搬送波中の副搬送波は、異なる優先順位レベルに関係付けられており、
それぞれのシグナリングメッセージは、複数のシンボル期間中に少なくとも１つの特定の副搬送波上で送られる装置。
【請求項２５】
前記検出したシグナリングメッセージから干渉減少要求を取得する手段と、
前記干渉減少要求に基づいて、送信電力を減少させる手段とをさらに具備する請求項２４記載の装置。
【請求項２６】
前記それぞれの副搬送波に対する受信シンボルを取得する手段は、前記シグナリングメッセージを送る送信機局と非同期的に動作する受信機局のシンボルタイミングに基づいて、それぞれの副搬送波に対する前記受信シンボルを取得する手段を備える請求項２４記載の装置。
【請求項２７】
前記シグナリングメッセージを検出する手段は、
前記１セットの副搬送波中のそれぞれの副搬送波の前記受信電力を、しきい値と比較する手段と、
前記しきい値を超える受信電力を有するそれぞれの副搬送波上で、シグナリングメッセージを検出する手段と、
前記シグナリングメッセージが検出された前記副搬送波に基づいて、それぞれの検出したシグナリングメッセージに対する情報を取得する手段とを備える請求項２４記載の装置。
【発明の詳細な説明】
【関連出願】
【０００１】
本出願は、「直交リソース利用メッセージ（ＲＵＭ）設計」と題する２００８年３月２８日に出願された米国仮出願シリアル番号第６１／０４０，４８９号に対して優先権を主張している。この出願は、本発明の譲受人に譲渡され、参照によりここに組み込まれている。
【背景】
【０００２】
Ｉ．分野
本開示は、一般的に、通信に関する。さらに詳細に述べると、ワイヤレス通信ネットワーク中でシグナリングメッセージを送信および受信するための技術に関する。
【０００３】
ＩＩ．背景
音声、ビデオ、パケットデータ、メッセージング、ブロードキャスト等のような、さまざまな通信サービスを提供するために、ワイヤレス通信ネットワークが広範囲に展開されている。これらのワイヤレスネットワークは、利用可能なネットワークリソースを共有することによって複数のユーザをサポートできる多元接続ネットワークであってもよい。このような多元接続ネットワークの例は、コード分割多元接続（ＣＤＭＡ）ネットワークや、時間分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を含んでいてもよい。基地局は、さまざまな目的のために、シグナリングメッセージをＵＥに送るかもしれない。ＵＥはまた、さまざまな目的のために、シグナリングメッセージを基地局に送るかもしれない。シグナリングメッセージは、基地局とＵＥとの間の通信をサポートするのに役立つかもしれない。シグナリングメッセージを効率的かつ確実に送ることが好ましい。
【概要】
【０００５】
ここでは、ワイヤレス通信ネットワーク中でシグナリングメッセージを送る技術を記述する。態様では、シグナリングメッセージを送るために予約されている１セットの副搬送波の中の少なくとも１つの特定の副搬送波にシグナリングメッセージをマッピングすることによって、シグナリングメッセージが送られてもよい。シグナリングメッセージは、複数の可能性ある値のうちの１つを持っていてもよい。シグナリングメッセージは、メッセージ値に基づいて、１セットの副搬送波から選択された少なくとも１つの特定の副搬送波上で送られてもよい。１つの設計では、シグナリングメッセージは、送信機局に対する干渉を減少させるように少なくとも１つの干渉局に要請する干渉減少要求であってもよい。送信機局が、シグナリングメッセージに基づいて、１セットの副搬送波中の少なくとも１つの副搬送波を選択してもよい。送信機局は、複数のシンボル期間中にそれぞれの選択された副搬送波上で、シグナリングメッセージを伝えるための信号（例えば、位相連続信号）を送ってもよい。受信機局は、シグナリングメッセージを検出するための相補的な処理を実行してもよい。
【０００６】
別の態様では、干渉減少要求は、干渉減少要求を送るために利用可能なすべての直交リソース（例えば、コード、時間、周波数、および／または他のリソース）の中の直交リソースに基づいて送られてもよい。１つの設計では、第１の局が、第１の局に対する干渉を減少させるように少なくとも１つの干渉局に要請する干渉減少要求を発生させてもよい。第１の局は、直交シーケンスに基づいて、リソースセグメントにわたって、干渉減少要求を拡散させてもよい。リソースセグメントは、複数のシンボル期間中に複数の副搬送波をカバーしてもよい。１つの直交設計では、干渉減少要求のＭ個の可能性ある値が、Ｍ個の直交シーケンス、例えば、ウォルシュシーケンスにマッピングされてもよい。第１の局は、干渉減少要求に基づいて直交シーケンスを選択してもよく、リソースセグメントにわたって、選択された直交シーケンスをマッピングしてもよい。別の直交設計では、第１の局は、干渉減少要求を処理（例えば、エンコードおよび変調）して、変調シンボルを取得してもよく、それぞれの変調シンボルを拡散し、対応するデータシーケンスを取得してもよい。第１の局は、周波数拡散を達成するために、１つのシンボル期間中に、１セットの副搬送波にわたって、それぞれのデータシーケンスを送ってもよい。双方の直交設計に対して、第１の局は、リソースセグメントにわたって拡散された干渉減少要求を含む信号を発生させてもよく、少なくとも１つの干渉局に信号を送ってもよい。干渉局は、干渉減少要求を検出するために相補的な処理を実行してもよい。
【０００７】
開示のさまざまな態様および特徴について、以下でさらに詳細に記述する。
【図面の簡単な説明】
【０００８】
【図１】図１は、ワイヤレス通信ネットワークを示している。
【図２】図２は、干渉緩和を伴うダウンリンクデータ送信を示している。
【図３】図３は、干渉緩和を伴うアップリンクデータ送信を示している。
【図４Ａ】図４Ａは、シグナリングメッセージに対して予約されている周波数リソースを示している。
【図４Ｂ】図４Ｂは、シグナリングメッセージに対して予約されている周波数リソースを示している。
【図５】図５は、副搬送波マッピングによるメッセージ送信を示している。
【図６】図６は、時間および周波数拡散によるメッセージ送信を示している。
【図７】図７は、周波数拡散によるメッセージ送信スキームを示している。
【図８】図８は、副搬送波マッピングを用いてシグナリングを送るプロセスを示している。
【図９】図９は、副搬送波マッピングを用いてシグナリングを送る装置を示している。
【図１０】図１０は、副搬送波マッピングを用いてシグナリングを受信するプロセスを示している。
【図１１】図１１は、副搬送波マッピングを用いてシグナリングを受信する装置を示している。
【図１２】図１２は、拡散によりシグナリングを送るプロセスを示している。
【図１３】図１３は、拡散によりシグナリングを送る装置を示している。
【図１４】図１４は、拡散により送られたシグナリングを受信するプロセスを示している。
【図１５】図１５は、拡散により送られたシグナリングを受信する装置を示している。
【図１６】図１６は、基地局およびＵＥのブロック図を示している。
【詳細な説明】
【０００９】
ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して、ここで記述した技術を使用してもよい。「ネットワーク」および「システム」という用語は、互換性があるように使用されることが多い。ＣＤＭＡネットワークは、ユニバーサル地上無線アクセス（ＵＴＲＡ）、ｃｄｍａ２０００等のような無線技術を実現してもよい。ＵＴＲＡは、広帯域ＣＤＭＡ（ＷＣＤＭＡ）やＣＤＭＡの他の変形を含んでいる。ｃｄｍａ２０００は、ＩＳ−２０００、ＩＳ−９５、およびＩＳ−８５６標準規格をカバーしている。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用する、ＵＭＴＳの新しいリリースである。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている機関による文書中に記述されている。ｃｄｍａ２０００およびＵＭＢは、「第３世代パートナーシッププロジェクト２」（３ＧＰＰ２）と名付けられている機関による文書中に記述されている。上記で説明したワイヤレスネットワークおよび無線技術とともに、他のワイヤレスネットワークおよび無線技術に対しても、ここで記述した技術を使用してもよい。
【００１０】
図１は、ワイヤレス通信ネットワーク１００を示しており、このワイヤレス通信ネットワーク１００は、多数の基地局１１０と他のネットワークエンティティとを含んでいてもよい。基地局は、ＵＥと通信する局であってもよく、ノードＢ、進化ノードＢ（ｅＮＢ）、アクセスポイント等とも呼ばれることがある。それぞれの基地局１１０は、特定の地理的エリアに対する通信カバレージを提供してもよい。用語「セル」は、このカバレージエリアを担当している基地局および／または基地局サブシステムのカバレージエリアのことを意味することがある。
【００１１】
基地局は、マクロセル、ピコセル、フェムトセル等に対する通信カバレージを提供してもよい。マクロセルは、比較的広い地理的エリア（例えば、半径数キロメートル）をカバーし、サービス加入しているＵＥによる制限のないアクセスを可能にする。ピコセルは、比較的狭い地理的エリアをカバーし、サービス加入しているＵＥによる制限のないアクセスを可能にする。フェムトセルは、比較的狭い地理的エリア（例えば、ホーム）をカバーし、フェムトセルと関係を持つＵＥによる制限のないアクセスを可能にする。マクロセル向けの基地局をマクロ基地局と呼ぶことがある。ピコセル向けの基地局を、ピコ基地局と呼ぶことがある。フェムトセル向けの基地局を、フェムト基地局またはホーム基地局と呼ぶことがある。
【００１２】
図１に示した例では、基地局１１０ａ、１１０ｂ、および１１０ｃは、それぞれ、マクロセル１０２ａ、１０２ｂ、および１０２ｃに対するマクロ基地局である。基地局１１０ｘは、ピコセル１０２ｘに対するピコ基地局である。基地局１１０ｙは、フェムトセル１０２ｙに対するフェムト基地局である。ピコセルおよびフェムトセルは、（例えば、図１に示したような）マクロセル内に位置していてもよく、および／または、マクロセルとオーバーラップしていてもよい。
【００１３】
ワイヤレスネットワーク１００はまた、中継局、例えば、中継局１１０ｚを含んでいてもよい。中継局（すなわち中継器）は、アップストリーム局からのデータおよび／または他の情報の送信を受信し、データおよび／または他の情報の送信をダウンストリーム局に送る局である。ネットワーク制御装置１３０は、１セットの基地局に結合され、これらの基地局に対する調整および制御を提供してもよい。ネットワーク制御装置１３０は、単一のネットワークエンティティまたはネットワークエンティティの集まりであってもよい。
【００１４】
ＵＥ１２０は、ワイヤレスネットワーク１００全体を通して分散されていてもよく、それぞれのＵＥは静的であっても、または、動的であってもよい。ＵＥを、端末、移動局、加入者ユニット、局等と呼ぶことがある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局等であってもよい。ＵＥは、ダウンリンクおよびアップリンクを通して、基地局と通信してもよい。ダウンリンク（すなわち、フォワードリンク）は、基地局からＵＥへの通信リンクのことを意味し、アップリンク（すなわち、リーバースリンク）は、ＵＥから基地局への通信リンクのことを意味する。ＵＥは、マクロ基地局、ピコ基地局、フェムト基地局、中継局等と通信できてもよい。図１では、両方向に矢印がある実線は、ＵＥと担当基地局との間の所望の送信を示しており、担当基地局は、ダウンリンクおよび／またはアップリンク上でＵＥを担当するように指定されている基地局である。両方向に矢印がある破線は、ＵＥと基地局との間の干渉送信を示している。
【００１５】
ワイヤレスネットワーク１００は、マクロ基地局だけを含んでいる同種ネットワークであってもよい。ワイヤレスネットワーク１００はまた、異なるタイプの基地局、例えば、マクロ基地局、ピコ基地局、フェムト基地局、中継局等を含んでいる異種ネットワークであってもよい。これらの異なるタイプの基地局は、異なる電力レベル、異なるカバレージエリアを持っており、ワイヤレスネットワーク１００における干渉に異なる影響を及ぼすかもしれない。例えば、マクロ基地局は、高送信電力レベル（例えば、２０ワット）を有していてもよく、ピコおよびフェムト基地局は、より低い送信電力レベル（例えば、１ワット）を有していてもよい。同種ネットワークまたは異種ネットワークに対して、ここで記述した技術を使用してもよい。
【００１６】
ワイヤレスネットワーク１００は、同期ネットワークまたは非同期ネットワークであってもよい。同期ネットワークでは、基地局は、類似したフレームタイミングを持っていてもよく、異なる基地局からの送信は時間整列されていてもよい。非同期ネットワークでは、基地局は、異なるフレームタイミングを持っていてもよく、異なる基地局からの送信は時間整列されていなくてもよい。同期ネットワークおよび非同期ネットワークに対して、ここで記述した技術を使用してもよい。
【００１７】
ワイヤレスネットワーク１００は、直交周波数分割多重化（ＯＦＤＭ）および／または単一搬送波周波数分割多重化（ＳＣ−ＦＤＭ）を利用してもよい。例えば、ワイヤレスネットワーク１００は、ダウンリンク上ではＯＦＤＭを利用し、アップリンク上ではＳＣ−ＦＤＭを利用するＬＴＥネットワークであってもよい。ＯＦＤＭおよびＳＣ−ＦＤＭは、システム帯域幅を複数の副搬送波（ＮFFT）に区分し、複数の副搬送波は、トーン、ビン等と呼ばれることもある。隣接副搬送波間の間隔は、固定されていてもよく、副搬送波（ＮFFT）の総数は、システム帯域幅に依存していてもよい。例えば、NFFTは、１．２５、２．５、５、１０、または２０ＭＨｚのシステム帯域幅に対して、それぞれ、１２８、２５６、５１２、１０２４、または２０４８に等しくてもよい。
【００１８】
ＵＥが、支配的干渉のシナリオで担当基地局と通信することがあり、これは、干渉電力が所望の信号電力よりも高いことにより特徴付けられる。ダウンリンク上では、ＵＥが、１つ以上の干渉基地局からの高干渉を観測することがある。アップリンク上では、担当基地局が、１つ以上の干渉ＵＥからの高干渉を観測することがある。支配的干渉のシナリオは、範囲拡大が原因であることがあり、ＵＥが、ＵＥによって検出された複数の基地局の中で低い方のパス損失および低い方のジオメトリを有する基地局に接続しているシナリオである。例えば、図１におけるＵＥ１２０ｘが、低い方のパス損失および低い方のジオメトリを有するピコ基地局１１０ｘと通信することがあり、マクロ基地局１１０ｂからの高干渉を観測することがある。ＵＥに対して所定のデータレートを達成するために、ワイヤレスネットワークに対する干渉を減少させるのに、このことは好ましいかもしれない。支配的干渉のシナリオはまた、制限のある関係が原因であることがあり、これは、ＵＥが、制限のあるアクセスを有する強度の基地局に接続できずに、制限のないアクセスを有する弱い方の基地局に接続しているシナリオである。例えば、図１中のＵＥ１２０ｙは、フェムト基地局１１０ｙに接続できず、マクロ基地局１１０ｃに接続しているかもしれない。ＵＥ１２０ｙは、フェムト基地局１１０ｙからの高干渉を観測することがあり、また、フェムト基地局に対する高干渉を生じさせることがある。
【００１９】
データ送信の性能を向上させるために、干渉緩和を使用して、所定のリンク上の干渉を緩和（例えば、防止または減少）させることがある。また、セル分割利得を提供するために、干渉緩和を用いてもよい。例えば、異なるＵＥを同時に担当するために、マクロ基地局が、複数のピコ基地局によって使用されるリソースを予約するかもしれない。干渉緩和のために、干渉局が、その送信電力を無効または減少させてもよく、または、その送信をビームステアリングさせてもよい。これにより、ターゲット局に対する所望の送信のために、高い方の受信信号品質を達成できる。ここでの記述では、局は、基地局、ＵＥ、中継局等であってもよい。受信信号品質は、信号対雑音および干渉比（ＳＩＮＲ）または他の何らかのメトリックによって定量化されてもよい。
【００２０】
図２は、干渉緩和を伴うダウンリンクデータ送信スキーム２００の設計を示している。担当基地局が、ＵＥに送るデータを有していてもよく、ダウンリンク上でＵＥが高干渉を観測しているという知識を有していてもよい。例えば、担当基地局は、パイロット測定報告をＵＥから受信してもよく、この報告は、強度な干渉基地局を示している、および／または、強度な干渉基地局を識別しているかもしれない。担当基地局は、干渉緩和トリガをＵＥに送ってもよい。このトリガが、ダウンリンク上の干渉を減少させるために干渉基地局に要求するようにＵＥに求めてもよい。このトリガはまた、干渉を減少させる特定のリソース、要求の優先順位、および／または他の情報を伝えてもよい。
【００２１】
ＵＥが、干渉緩和トリガを担当基地局から受信してもよく、干渉減少要求を送ってもよい。減少干渉要求を、リソース利用メッセージ（ＲＵＭ）等と呼ぶこともある。ＵＥは、（ｉ）ユニキャストメッセージとして、強度の干渉基地局だけに、または（ｉｉ）ブロードキャストメッセージとして、すべての隣接基地局に、干渉減少要求を送ってもよい。干渉減少要求は、指定されたリソース上の干渉を減少させるように干渉基地局に要請し、そしてまた、要求の優先順位、ＵＥに対するターゲット干渉レベルおよび／または他の情報を伝えてもよい。
【００２２】
干渉基地局は、干渉減少要求をＵＥから受信し、要求を許可または却下してもよい。要求が許可された場合、干渉基地局は、ＵＥに対する干渉を減少させるために、その送信電力を調整、および／または、その送信を操作してもよい。１つの設計では、そのバッファステータス、要求の優先順位、ＵＥのターゲット干渉レベル等のようなさまざまな要因に基づいて、指定されたリソース上で干渉基地局が使用するであろう送信電力レベルＰdを、干渉基地局が決定してもよい。干渉基地局は、電力決定パイロットをＰpdpの電力レベルで送信してもよく、ここでＰpdpは、Ｐdに等しくても、または、Ｐdのスケーリングされたバージョンに等しくてもよい。
【００２３】
ＵＥは、すべての干渉基地局および担当基地局から電力決定パイロットを受信してもよい。ＵＥは、受信したパイロットに基づいて、指定されたリソースのＳＩＮＲを推定し、ＳＩＮＲ推定値に基づいて、チャネル品質インジケータ（ＣＱＩ）情報を決定し、ＣＱＩ情報を担当基地局に送ってもよい。
【００２４】
担当基地局は、ＣＱＩ情報をＵＥから受信し、割り当てられたリソース上でのデータ送信のためにＵＥをスケジューリングしてもよく、割り当てられたリソースは、指定されたリソースのすべてまたはサブセットを含んでいてもよい。担当基地局は、ＣＱＩ情報に基づいて、変調およびコーディングスキーム（ＭＣＳ）を選択し、選択されたＭＣＳにしたがってデータパケットを処理してもよい。担当基地局は、ダウンリンク（ＤＬ）許可を発生させてもよく、ダウンリンク許可は、割り当てられたリソース、選択されたＭＣＳ等を含んでいてもよい。担当基地局は、ダウンリンク許可およびパケット送信をＵＥに送ってもよい。ＵＥが、ダウンリンク許可およびパケット送信を受信し、選択されたＭＣＳにしたがって受信した送信をデコードしてもよい。ＵＥは、パケットがＵＥによって、正確にまたは、誤ってデコードされたか否かを示している肯定応答（ＡＣＫ）情報を発生させ、ＡＣＫ情報を担当基地局に送ってもよい。
【００２５】
図３は、干渉緩和を伴うアップリンクデータ送信スキーム３００の設計を示している。ＵＥは、担当基地局に送るデータを有していてもよく、リソース要求を送ってもよい。リソース要求は、要求の優先順位、ＵＥによって送るデータの量等を示していてもよい。担当基地局は、リソース要求を受信してもよく、特定のリソース上でのＵＥの送信能力を尋ねるための送信能力要求をＵＥに送ってもよい。担当基地局はまた、特定のリソース上での干渉を減少させるように干渉ＵＥに要請するための干渉減少要求を送ってもよい。担当基地局は、（ｉ）ユニキャストメッセージとして、強度の干渉ＵＥだけに、または（ｉｉ）ブロードキャストメッセージとして、すべての干渉ＵＥに、干渉減少要求を送ってもよい。
【００２６】
ＵＥは、担当基地局から送信能力要求を受信してもよく、隣接基地局から干渉減少要求を受信してもよい。ＵＥは、隣接基地局からの干渉減少要求に基づいて、指定されたリソース上でＵＥが使用できる送信電力レベルを決定してもよい。ＵＥは、電力決定パイロットを通して、この送信電力レベルを伝えてもよい。
【００２７】
担当基地局は、電力決定パイロットを、ＵＥからとともに、干渉ＵＥからも受信してもよい。担当基地局は、受信パイロットに基づいて、指定されたリソースのＳＩＮＲを推定してもよく、ＳＩＮＲ推定値に基づいて、ＵＥに対するＭＣＳを選択してもよい。担当基地局は、アップリンク許可を発生させて送ってもよく、アップリンク許可は、選択されたＭＣＳ、割り当てられたリソース、割り当てられたリソースに対して使用するための送信電力レベル等を含んでいてもよい。ＵＥは、アップリンク許可を受信して、選択されたＭＣＳにしたがってパケットを処理し、割り当てられたリソース上でパケット送信を送ってもよい。担当基地局は、パケット送信をＵＥから受信し、受信した送信をデコードし、デコーディング結果に基づいてＡＣＫ情報を決定し、ＡＣＫ情報をＵＥに送ってもよい。
【００２８】
図２および図３に示したように、干渉緩和をサポートするために、さまざまなシグナリングメッセージが、ダウンリンクおよびアップリンク上で送られてもよい。それぞれのシグナリングメッセージは、任意のタイプの情報を含んでいてもよい。例えば、干渉減少要求は、下記の情報：
・リソースインデックス − 低い干渉が要求されるリソースを識別
・優先順位レベル − 干渉減少要求の優先順位を示す
・空間フィードバック情報 − 送り側から離れるようにビームステアリングするために使用される
・送信機識別子（ＩＤ） − 干渉減少要求の送り側を識別
のうちのいくつか、または、すべてを含んでいてもよい。干渉減少要求はまた、異なる情報および／または付加情報を含んでいてもよい。
【００２９】
特定のタイプのシグナリングメッセージ（例えば、干渉減少要求）は、そのタイプのシグナリングメッセージを送るために予約されているかもしれないリソース上で送られてもよい。リソースは、さまざまな方法で予約されてもよい。１つの設計では、予約されたリソースは、その間ずっと利用可能であるかもしれない周波数リソースを含んでいてもよい。この設計は、非同期ネットワークに対して特に適用可能であるかもしれない。別の設計では、予約されたリソースは、特定の時間および周波数リソースを含んでいてもよい。この設計は、同期ネットワークに対して、より適用可能であるかもしれない。
【００３０】
図４Ａは、特定のタイプのシグナリングメッセージ、例えば、干渉減少要求を送るために周波数リソースを予約する設計を示している。この設計では、シグナリングメッセージを送るために、１セットの連続的な副搬送波が予約されている。一般的に、１セットの副搬送波は、システム帯域幅内のどこにでも位置していてもよい。１つの設計では、データを送るために使用される予約されていない副搬送波等から、予約された副搬送波を保護／隔離するために、１つ以上のガード副搬送波が使用されてもよい。例えば、図４Ａに示したように、予約された副搬送波のそれぞれの側で、１つのガード副搬送波が使用されてもよい。ガード副搬送波は、予約されていない副搬送波上での送信による搬送波間干渉（ＩＣＩ）から、予約された副搬送波上で送られたシグナリングメッセージを保護し、これは、シグナリングメッセージの検出を向上させる。
【００３１】
図４Ｂは、特定のタイプのシグナリングメッセージ、例えば、干渉減少要求を送るために周波数リソースを予約する別の設計を示している。この設計では、シグナリングメッセージを送るために、１セットの副搬送波が予約され、１セットの副搬送波は２つのサブセットの連続的な副搬送波を含んでいてもよい。それぞれのサブセットは、予約されている副搬送波の半分を含んでいてもよい。一般的に、サブセットの副搬送波は、システム帯域幅内のどこにでも位置していてもよい。図４Ｂで示した設計では、２つのサブセットは、システム帯域幅の２つ端に位置している。１つの設計では、図４Ｂで示したように、それぞれのサブセットの予約されている副搬送波を、予約されていない副搬送波から保護するために、１つ以上のガード副搬送波を使用してもよい。
【００３２】
図４Ａおよび図４Ｂは、特定のタイプのシグナリングメッセージを送るために周波数リソースを予約する２つの例示的な設計を示している。時間および／または周波数リソースはまた、シグナリングメッセージを送るために他の方法で予約されてもよい。例えば、シグナリングメッセージを送るために、２つより多いサブセットの副搬送波が予約されてもよい。
【００３３】
１つの設計では、異なる電力クラスの基地局によってシグナリングメッセージ（例えば、干渉減少要求）を送るために、異なるリソース（例えば、異なるセットの副搬送波、異なるブロックの時間周波数リソース等）が予約されてもよい。別の設計では、異なる送信電力レベルでシグナリングメッセージを送るために、異なるリソースが予約されてもよい。送信機局の電力クラス、送信機局から受信機への距離等に基づいて選択されるかもしれない１つの予約された副搬送波セット上で、送信機局はシグナリングメッセージを送ってもよい。
【００３４】
１つの設計では、特定のタイプのシグナリングメッセージを送るために、異なるセルに対して異なるリソースが予約されてもよい。このセルごとの設計が、異なるセルからのシグナリングメッセージ間での衝突を回避する。別の設計では、特定のタイプのシグナリングメッセージを送るために、すべてのセルに対して同じリソースが予約されてもよい。このグローバルな設計が、シグナリングメッセージを送るためのオーバーヘッドを減少させる。一般的に、シグナリングメッセージ（例えば、干渉減少要求）を送るために、いくつかのリソース（例えば、１セットの副搬送波）が予約されてもよい。複数の送信機局が、同じリソース（例えば、同じ予約された副搬送波）を使用して、シグナリングメッセージを送ってもよい。いくつかのケースでは、送信機局が同じメッセージを送ってもよく、単一周波数ネットワーク（ＳＦＮ）方法では、これらのメッセージは、受信機局においてオーバーラップしてもよい。
【００３５】
図２および図３におけるシグナリングメッセージばかりでなく、基地局とＵＥとの間の通信をサポートするために使用される他のシグナリングメッセージもまた、さまざまな方法で送られてもよい。特定のタイプのシグナリングメッセージ（例えば、干渉減少要求）が、そのタイプのシグナリングメッセージを送るために予約されているリソース上で送られてもよい。シグナリングメッセージを送るいくつかの例示的な設計を以下で記述する。
【００３６】
第１の設計では、シグナリングメッセージ（例えば、干渉減少要求）は、シグナリングメッセージを少なくとも１つの特定の副搬送波、例えば、１つの特定の副搬送波にマッピングすることによって送られてもよい。シグナリングメッセージは、トータルでＢ情報ビットを含んでいてもよく、ここで、Ｂ≧１であり、送る情報の量に依存していてもよい。シグナリングメッセージは、Ｍ個の可能性ある値のうちの１つを有していてもよく、ここでは、Ｍ＝２Bである。１つの設計では、例えば、図４Ａまたは図４Ｂで示したように、シグナリングメッセージを送るために、１セットのＭ個の副搬送波が予約されてもよい。予約されたセット中のＭ個の副搬送波のうちの１つの副搬送波上で、シグナリングメッセージは送られてもよい。
【００３７】
図５は、副搬送波マッピングを利用するメッセージ送信スキーム５００の設計を示している。シグナリングメッセージは、０ないしＭ−１のインデックスを持つ、予約されたセットのＭ個の副搬送波により送られてもよい。例えば、３ビットの干渉減少要求は、１セットの８個の副搬送波により送られてもよく、４ビットの要求は１セットの１６個の副搬送波等により送られてもよい。シグナリングメッセージのＭ個の可能性ある値のそれぞれは、Ｍ個の副搬送波のうちの異なった１つにマッピングされてもよい。例えば、０ないしＭ−１のメッセージ値は、それぞれ、副搬送波０ないしＭ−１にマッピングされてもよい。シグナリングメッセージは、メッセージ値に基づいて、予約されたセット中の特定の副搬送波にマッピングされてもよい。そして、信号は、シグナリングメッセージの信頼ある受信を確実にするために、適切な送信電力レベルで（例えば、フルパワーで）、かつ適切な期間（例えば、予め定められた数のシンボル期間）にわたって、選択された副搬送波上で送られてもよい。予約されたセット中のＭ−１個の残りの副搬送波上で送られる信号は、存在しないかもしれない。
【００３８】
一般的に、シグナリングメッセージに対する何らかの情報が、予約されたセット中の異なる副搬送波に対してハッシュされてもよい。１つの設計では、予約されたセット中のＭ個の副搬送波は、シグナリングメッセージの異なる優先順位に関係付けられてもよい。例えば、８個の優先順位レベルをサポートするために、８個の副搬送波が使用されるかもしれない。そして、選択された副搬送波は、副搬送波上で送られるシグナリングメッセージの優先順位に関係付けられているかもしれない。別の設計では、異なるセルまたはＵＥ識別子（ＩＤ）が、予約されたセット中の異なる副搬送波に対してハッシュされてもよい。選択された副搬送波は、シグナリングメッセージを送る基地局またはＵＥのＩＤに関係付けられていてもよい。さらに別の設計では、優先順位と、セルまたはＵＥ ＩＤとを組み合わせたものが、予約されたセット中の異なる副搬送波に対してハッシュされてもよい。例えば、シグナリングメッセージは、３ビットのセルまたはＵＥ ＩＤと１ビットの優先順位とを含んでいてもよい。予約されたセット中の１６個の副搬送波のうちの１つを選択するために、この４ビットのシグナリングメッセージを使用してもよい。また、情報の他の組み合わせを、異なる副搬送波にマッピングしてもよい。また、メッセージ値に基づいて、１つよりも多い副搬送波を選択してもよい。
【００３９】
第１の設計の場合、受信機局が、以下のように、シグナリングメッセージ（例えば、干渉減少要求）を検出してもよい。受信機局は、受信信号に対する時間ドメインサンプルを取得してもよい。それぞれのシンボル期間では、副搬送波ＮFFTのすべてに対する周波数ドメイン受信シンボルを取得するために、高速フーリエ変換（ＦＴＴ）が時間ドメインサンプル上で実行されてもよい。予約セット中のそれぞれの副搬送波の受信電力は、その副搬送波に対する受信シンボルに基づいて決定されてもよい。その副搬送波上で信号が送られているか否かを決定するために、それぞれの副搬送波の受信電力を電力しきい値と比較してもよい。信号が検出されたそれぞれの副搬送波に対して、シグナリングメッセージに対するメッセージ値が、その副搬送波のインデックスに基づいて復元されてもよい。１つの設計では、電力しきい値は、静的な値であってもよく、静的な値は、良い検出性能を取得するために、コンピュータシミュレーションまたは経験的測定に基づいて決定されてもよい。別の設計では、電力しきい値は、例えば、すべての予約された副搬送波の受信電力、すべての利用可能な副搬送波の受信電力等に基づいて、動的に決定されてもよい。
【００４０】
同期および非同期ネットワークの双方に対して、メッセージ送信スキーム５００を使用してもよい。１つの設計では、シグナリングメッセージに対して選択された副搬送波上で、位相連続信号が送られてもよい。所定のシンボル期間に対する波形（例えば、正弦曲線）の始まりは前のシンボル期間に対する波形の連続であるので、位相連続信号は、連続的シンボル期間にわたって、位相不連続が少ない、または、位相不連続がない信号である。非同期の動作が原因で、そのＦＦＴウィンドウが送信機局のシンボル境界で時間整列されなかった場合でも、位相連続信号の使用により、受信機局が、選択された副搬送波上で、ＩＣＩが少ない信号を検出できる。
【００４１】
メッセージ送信スキーム５００は、予約されたセットの副搬送波上でのシグナリングメッセージの衝突に巧みに対処できる。複数の送信機局が、同時にまたは同時に近く、異なる副搬送波上でシグナリングメッセージを送る場合、受信機局は、シグナリングメッセージをそれぞれの送信機局から検出でき、それぞれのシグナリングメッセージに応答できる。複数の送信機局が、同時にまたは同時に近く、同じ副搬送波上でシグナリングメッセージを送る場合、受信機局は、その副搬送波上で、複製のシグナリングメッセージを受信するかもしれず、複製のシグナリングメッセージに応答できる。したがって、シグナリングメッセージは、ＳＦＮネットワークにおけるブロードキャスト送信と類似した方法で送られてもよい。
【００４２】
第２の設計では、干渉減少要求は、時間および周波数拡散により送られてもよい。この設計では、Ｍ個の直交シーケンスが規定されてもよいし、Ｍ個の直交シーケンスは、ウォルシュシーケンスまたは他の何らかの拡散シーケンスであってもよい。これらは、良い相関特性を持っていてもよく、互いに直交であっても、または、直交でなくてもよい。それぞれの直交シーケンスはＭの長さを持っていてもよく、Ｍの長さはＭ個のシンボルを含んでいてもよい。干渉減少要求のＭ個の可能性ある値のそれぞれは、Ｍ個の直交シーケンスのうちの異なる１つにマッピングされてもよい。干渉減少要求は、干渉減少要求の値に基づいて選択されたＭ個の直交シーケンスのうちの１つを使用して送られてもよい。
【００４３】
図６は、時間および周波数拡散を利用するメッセージ送信スキーム６００の設計を示している。干渉減少要求は、メッセージ値に基づいて、長さＭの特定の直交シーケンスにマッピングされてもよい。Ｔシンボル期間中にＮ個の副搬送波をカバーし、Ｍ個のリソースエレメントを含むリソースセグメント上で、選択された直交シーケンスが送られてもよい。ここで、Ｍ＝Ｎ・Ｔである。それぞれのリソースエレメントは、１つのシンボル期間中に１つの副搬送波をカバーしていてもよく、１つのシンボルを送るために使用されてもよく、１つのシンボルは、実数値または複素数値であってもよい。選択された直交シーケンス中のＭ個のシンボルは、予め定められた順番で、リソースセグメント中のＭ個のリソースエレメントにマッピングされてもよい。例えば、Ｍ個のシンボルは、（ｉ）図６に示したように、すべてのＮ個の副搬送波にわたって、１つのシンボル期間が同時に、または、（ｉｉ）すべてのＴ個のシンボル期間にわたって、１つの副搬送波が同時に、マッピングされてもよい。
【００４４】
図６に示したように、リソースセグメントは、Ｔ個のシンボル期間中にＮ個の副搬送波をカバーしてもよい。１つの設計では、干渉減少要求を送るために、１セットのＮ個の副搬送波を予約してもよい。Ｎ個の副搬送波が連続する場合には、検出性能が向上する。任意のシンボル期間中に開始する、予約されたセット中のＮ個の副搬送波上で、リソースセグメントが形成されてもよい。同期および非同期ネットワークの双方に対して、この設計を使用してもよい。別の設計では、干渉減少要求を送るために、特定のリソースセグメントが予約されてもよい。この設計は、同期ネットワークに対してより適用可能であるかもしれない。干渉減少要求を送るために予約されるリソースセグメントはまた、他の方法で規定されてもよい。
【００４５】
１つの設計では、干渉減少要求に対する直交シーケンスの前に、プリアンブルが送られてもよい。プリアンブルは、直交シーケンスの前の１つのシンボル期間中にＮ個の副搬送波上で送られるかもしれない特定のシーケンスであってもよい。干渉減少要求の存在を検出するために、プリアンブルを使用してもよい。
【００４６】
第２の設計の場合、下記のように、受信機局が干渉減少要求を検出してもよい。干渉減少要求の存在を突き止めるために、プリアンブルは、送られた場合には、最初に検出される。そして、リソースセグメント中のＭ個のリソースエレメントから、Ｍ個の受信シンボルが取得されてもよい。Ｍ個の受信シンボルは、Ｍ個の可能性ある直交シーケンスのそれぞれで逆拡散され、Ｍ個の逆拡散シンボルが取得されてもよい。それぞれの直交シンボルに対して、１つの逆拡散シンボルである。それぞれの逆拡散シンボルの受信電力を電力しきい値と比較し、受信電力が電力しきい値を超えた場合に、その逆拡散シンボルに対応している干渉減少要求が検出されてもよい。１つの設計では、電力しきい値は、静的な値であってもよく、静的な値は、良い検出性能を得るために、コンピュータシミュレーションまたは経験的測定に基づいて決定されてもよい。別の設計では、電力しきい値は、例えば、干渉減少要求が存在しないときの、予約されたセット中のＮ個の副搬送波の受信電力に基づいて動的に決定されてもよい。
【００４７】
メッセージ送信スキーム６００は、干渉減少要求をより高い送信電力で送り、リソースセグメント中の、複数の副搬送波と複数のシンボル期間とにわたって干渉減少要求を拡散できるようにする。干渉減少要求に対するより高い送信電力が、検出性能を向上させる。時間および周波数拡散が、ダイバシティを提供し、また、検出性能を向上させる。メッセージ送信スキーム６００はまた、干渉減少要求の衝突に対処できる。複数の送信機局が同じリソースセグメント中で干渉減少要求を送る場合、受信機局はそれぞれの送信機局から干渉減少要求を検出でき、それぞれの干渉減少要求に応答できる。
【００４８】
第３の設計では、干渉減少要求は、周波数拡散により送られてもよい。変調信号を取得するために、干渉減少要求が処理（例えば、エンコードおよび変調）されてもよい。対応するデータシーケンスを取得するために、それぞれの変調シンボルが拡散されてもよい。周波数拡散を達成するために、それぞれの変調シンボルに対するデータシーケンスが、１セットの副搬送波にわたって送られてもよい。
【００４９】
図７は、周波数拡散を利用するメッセージ送信スキーム７００の設計を示している。送信タイムラインは、サブフレームの単位に区分されてもよい。それぞれのサブフレームは、予め定められた期間、例えば、１ミリ秒（ｍｓ）を持っていてもよく、２つのスロットに区分されてもよい。ＬＴＥでは、１つのサブフレームの２つのスロットは、通常のサイクリックプレフィックスに対して０ないし１３のインデックスを有する１４個のシンボル期間を含んでいる。それぞれのスロットに対して、多数のリソースブロックが規定されてもよい。ＬＴＥでは、それぞれのリソースブロックは、１つのスロット中にＮ個の副搬送波（例えば、１２個の副搬送波）を含んでいる。
【００５０】
１つの設計では、コードビットを取得するために、干渉減少要求がエンコードされてもよく、コードビットは、１０個の変調シンボルｄ（０）ないしｄ（９）にマッピングされてもよい。１０個のデータシーケンスは、下記：
【数１】
0005456759.tif 000002
【００５１】
のように、１０個の変調シンボルにより発生されてもよく、ここで、ｒ（ｎ）は、長さＮの基準信号シーケンスであり、ｄ（ｔ）は、干渉減少要求に対するｔ番目の変調シンボルであり、そして、ｃt（ｎ）は、干渉減少要求に対するｔ番目のデータシーケンスである。
【００５２】
０または少ない相互相関特性を有する１セットの基準信号シーケンスが規定されてもよい。例えば、セットは、Ｚａｄｏｆｆ−Ｃｈｕシーケンス、Ｃｈｕシーケンス、Ｆｒａｎｋシーケンス、汎用チャープライク（ＧＣＬ）シーケンス、ウォルシュシーケンス、ｍ−シーケンス等を含んでいてもよい。異なる送信機局は、異なる基準信号シーケンスを使用して干渉減少要求を同時に送ってもよく、異なる基準信号シーケンスは、直交シーケンスと考えられてもよい。受信機局は、それぞれの送信された干渉減少要求を、その干渉減少要求に対して使用される基準信号シーケンスによるコヒーレント検出を実行することによって検出できる。
【００５３】
１０個のデータシーケンスｃ0（ｎ）ないしｃ9（ｎ）が、それぞれ、１０個の変調シンボルｄ（０）ないしｄ（９）により取得されてもよい。２つのリソースブロックでは、１０個のデータシーケンスが送られてもよく、２つのリソースブロックは、図７で示したように、周波数ダイバシティを達成するために、異なるセットの副搬送波を占めてもよい。左スロットにおける第１のリソースブロックの場合には、図７に示したように、シンボル期間０、２、３、４および６では、５つのデータシーケンスｃ0（ｎ）ないしｃ4（ｎ）が送られてもよく、シンボル期間１および５では、基準信号シーケンスｒ（ｎ）が送られてもよい。右スロットにおける第２のリソースブロックの場合には、図７においても示したように、シンボル期間７、９、１０、１１、および１３では、５個のデータシーケンスｃ5（ｎ）ないしｃ9（ｎ）が送られてもよく、シンボル期間８および１２では、基準信号シーケンスｒ（ｎ）が送られてもよい。
【００５４】
第３の設計の場合には、受信機局が、下記のように、干渉減少要求を検出してもよい。それぞれのリソースブロックに対して、リソースブロック中のＮ個の副搬送波に対するチャネル利得を含むチャネル推定が、そのリソースブロック中で受信した基準信号シーケンスに基づいて導出されてもよい。そして、対応する検出データシーケンスを取得するためのチャネル推定により、それぞれの受信データシーケンスに対して、コヒーレント復調が実行されてもよい。コヒーレント復調が、受信データシーケンスからチャネル利得の影響を取り除いてもよい。１つのサブフレームにおける２つのリソースブロックから、１０個の検出されたデータシーケンスが取得されてもよい。１０個の検出されたデータシーケンスは、それぞれの可能性のある基準信号シーケンスと相関して、その基準信号シーケンスに対する１セットの１０個の逆拡散シンボルを取得してもよい。それぞれの検出されたデータシーケンスに対して、１つの逆拡散シンボルである。電力しきい値を超える受信電力を有する逆拡散シンボルのそれぞれのセットが保持されてもよく、残りのセットの逆拡散シンボルは破棄されてもよい。それぞれの保持されたセットの逆拡散シンボルに対して、２つのリソースブロックにおいて送られた干渉減少要求を取得するために、ログ最尤比（ＬＬＲ）が、１０個の逆拡散シンボルに基づいて計算されて、デコードされてもよい。
【００５５】
図７は、周波数拡散により干渉減少要求を送る特定の設計を示している。一般的に、干渉減少要求を拡散して、任意の数のデータシーケンスを取得してもよい。任意の数のシーケンスは、十分な数のリソースエレメントで送られてもよい。基準信号シーケンスが、十分な数のシンボル期間中に、かつ十分な数の副搬送波上で送られ、データシーケンスのコヒーレント検出のために使用されてもよい。
【００５６】
別の様態では、干渉局の電力制御が、干渉減少要求を通して達成されてもよい。干渉ＵＥの電力制御の１つの設計では、担当基地局が、干渉減少要求をＰTX_msgの送信電力レベルで送ってもよい。ＰTX_msgは、下記：
【数２】
0005456759.tif 000003
【００５７】
のように決定されてもよく、ここで、Ｐcは、以下で記述する基準値であり、Ｉtargetは、担当基地局に対するターゲット干渉レベルである。
【００５８】
干渉ＵＥは、干渉減少要求をＰRX_msgの受信電力レベルで受信してもよく、ＰRX_msgは、
【数３】
0005456759.tif 000004
【００５９】
と表されてもよい。ここで、ｈは、担当基地局から干渉ＵＥへのチャネル利得である。
【００６０】
干渉ＵＥは、干渉減少要求にしたがい、下記：
【数４】
0005456759.tif 000005
【００６１】
のように、その送信電力Ｐdを決定してもよい。
【００６２】
干渉ＵＥは、データ送信のために、ＰdまたはＰdよりも低い送信電力を使用してもよい。１つだけの干渉ＵＥと、同期ダウンリンクと、アップリンクチャネルとを仮定すると、ＵＥからのデータ送信が、担当基地局におけるＩtargetまたはＩtargetよりも低い干渉を生じさせるだろう。
【００６３】
干渉基地局の電力制御が、類似した方法で実行されてもよい。ＵＥは、ＰTX_msgの送信電力レベルで干渉減少要求を送ってもよい。干渉基地局は、ＰRX_msgの受信電力レベルで干渉減少要求を受信してもよい。干渉基地局は、要求にしたがって、Ｐdまで、または、より低く、その送信電力を減少させてもよい。そして、１つの干渉基地局と、同期ダウンリンクと、アップリンクチャネルとを仮定すると、干渉基地局からのデータ送信が、ＵＥにおいて、Ｉtargetの干渉を、または、より低い干渉を生じさせるかもしれない。
【００６４】
電力制御のために、干渉減少要求の送信電力を設定して、送り側の要求でターゲット干渉レベルを達成してもよい。ターゲット干渉レベルは、所望のデータ性能に基づいて選択されてもよく、また、干渉局の数の誤差、ダウンリンクとアップリンクとの間のフェードの不均衡、異なる局における送信チェーンと受信チェーンとの間の較正誤差等に対処するように設定されてもよい。
【００６５】
１つの設計では、すべての基地局は、同じＰc値を使用してもよい。別の設計では、異なる電力クラスの基地局が、異なるＰc値を使用してもよい。例えば、高電力マクロ基地局が第１のＰc値を使用してもよく、低電力のピコおよびフェムト基地局が第２のＰcの値を使用してもよい。この第２のＰc値は、第１のＰc値よりも低くてもよい。１つの設計では、すべてのＵＥは、同じＰcを値を使用してもよく、Pc値は、基地局によって使用されるＰc値と整合していてもよく、整合していなくてもよい。１つの設計では、干渉減少要求を送るために、複数のセットの副搬送波が予約されてもよく、異なる予約された副搬送波セットに対して、異なるＰc値が使用されてもよい。ＵＥは、ＵＥから干渉基地局への距離に基づいて、干渉減少要求を送るために予約されている副搬送波セットのうちの１つを選択してもよい。
【００６６】
図８は、ワイヤレスネットワーク中でシグナリングを送るプロセス８００の設計を示している。プロセス８００は送信機局によって実行されてもよく、送信機局は、基地局、ＵＥ、中継器、または他の何らかのエンティティであってもよい。送信機局は、シグナリングメッセージを送るために予約されている１セットの副搬送波を決定する（ブロック８１２）。１つの設計では、シグナリングメッセージは、送信機局に対する干渉を減少させるように少なくとも１つの干渉局に要請する干渉減少要求を含んでいてもよい。シグナリングメッセージはまた、他の何らかのタイプのメッセージを含んでいてもよい。
【００６７】
送信機局は、シグナリングメッセージに基づいて、１セットの副搬送波中の少なくとも１つの副搬送波を選択する（ブロック８１４）。１つの設計では、シグナリングメッセージは、０ないしＭ−１の範囲内の値を有していてもよく、ここで、Ｍは、１よりも大きい。セット中の副搬送波は、インデックス０ないしＭ−１に割り当てられていてもよい。送信機局は、シグナリングメッセージに対するＸの値に基づいて、Ｘのインデックスを有する副搬送波を選択してもよく、ここで、Ｘは０ないしＭ−１の範囲内である。
【００６８】
送信機局は、複数のシンボル期間中に少なくとも１つの副搬送波上で、シグナリングメッセージを伝えるための信号（例えば、位相連続信号）を送る（ブロック８１６）。１つの設計では、送信機局は、送信機局と非同期的に動作する少なくとも１つの受信機局に信号を送ってもよい。送信機局は、良い検出性能を達成するように、信号の送信電力を設定してもよい。また、先に記述したように、送信機局のターゲット干渉レベルに基づいて、送信電力を設定してもよい。
【００６９】
１つの設計では、異なる電力クラスの基地局によるシグナリングメッセージの送信のために、複数のセットの副搬送波が予約されてもよい。そして、送信機局は、その電力クラスに基づいて、複数のセットの副搬送波のうちの１つを選択してもよい。別の設計では、異なる電力レベルでのシグナリングメッセージの送信のために、複数のセットの副搬送波が予約されてもよい。そして、送信機局は、シグナリングメッセージに対する送信電力に基づいて、複数のセットの副搬送波のうちの１つを選択してもよい。さらに別の設計では、ワイヤレスネットワーク中の異なるセルにおけるシグナリングメッセージの送信のために、複数のセットの副搬送波が予約されてもよい。そして、送信機局は、シグナリングメッセージに対するセルに基づいて、複数のセットの副搬送波のうちの１つを選択してもよい。また、他の基準に対して、複数のセットの副搬送波が予約されてもよい。代替的な設計では、あらゆる送信電力レベルの、すべてのセル中等における、すべての基地局によって、シグナリングメッセージを送るために、単一のセットの副搬送波が予約されてもよい。
【００７０】
図９は、ワイヤレスネットワーク中でシグナリングを送る装置９００の設計を示している。装置９００は、シグナリングメッセージ、例えば、干渉減少要求を送るために予約されている１セットの副搬送波を決定するモジュール９１２と、シグナリングメッセージに基づいて、１セットの副搬送波中の少なくとも１つの副搬送波を選択するモジュール９１４と、シグナリングメッセージを伝えるための信号を複数のシンボル期間中に少なくとも１つの副搬送波上で送るモジュール９１６とを備えている。
【００７１】
図１０は、ワイヤレスネットワーク中でシグナリングを受信するプロセス１０００の設計を示している。プロセス１０００は、受信機局によって実行されてもよく、受信機局は、基地局、ＵＥ、中継器、または他の何らかのエンティティであってもよい。受信機局は、シグナリングメッセージを送るために予約されている１セットの副搬送波を決定する（ブロック１０１２）。受信機局は、１セットの副搬送波中のそれぞれの副搬送波に対する受信シンボルを取得する（ブロック１０１４）。１つの設計では、受信機局は、シグナリングメッセージを送る送信機局と非同期的に動作してもよく、そのシンボルタイミングに基づいて、それぞれの副搬送波に対する受信シンボルを取得してもよい。受信機局は、それぞれの副搬送波の受信電力を、その副搬送波に対する受信シンボルに基づいて決定する（ブロック１０１６）。
【００７２】
受信機局は、それぞれの副搬送波の受信電力に基づいて、１セットの副搬送波上で送られたシグナリングメッセージを検出する（ブロック１０１８）。複数のシンボル期間中に少なくとも１つの特定の副搬送波上で、それぞれのシグナリングメッセージが送られてもよい。１つの設計では、受信機局は、それぞれの副搬送波の受信電力をしきい値と比較してもよい。しきい値を超える受信電力を有するそれぞれの副搬送波上で、受信機局がシグナリングメッセージを検出してもよい。受信機局は、それぞれの検出されたシグナリングメッセージに対する情報を、そのシグナリングが検出された特定の副搬送波に基づいて取得してもよい。
【００７３】
１つの設計では、受信機局は、異なるセル中等の異なる電力クラスの基地局によって、異なる送信電力レベルでシグナリングメッセージを送るために予約されている複数のセットの副搬送波を決定してもよい。受信機局は、複数のセットの副搬送波のそれぞれ上で送られたシグナリングメッセージを検出してもよい。
【００７４】
１つの設計では、受信機局は、検出したシグナリングメッセージから干渉減少要求を取得する（ブロック１０２０）。受信機局は、干渉減少要求に基づいて、その送信電力を減少させる（ブロック１０２２）。１つの設計では、受信機局は、検出した干渉減少要求の受信電力を決定してもよい。先に記述したように、受信機局は、検出した干渉減少要求の受信電力に基づいて、その送信電力を決定してもよい。
【００７５】
図１１は、ワイヤレスネットワーク中でシグナリングを受信する装置１１００の設計を示している。装置１１００は、シグナリングメッセージを送るために予約されている１セットの副搬送波を決定するモジュール１１１２と、１セットの副搬送波中のそれぞれの副搬送波に対する受信シンボルを取得するモジュール１１１４と、副搬送波に対する受信シンボルに基づいて、１セットの副搬送波中のそれぞれの副搬送波の受信電力を決定するモジュール１１１６と、それぞれの副搬送波の受信電力に基づいて、１セットの副搬送波上で送られたシグナリングメッセージを検出するモジュール１１１８と、検出したシグナリングメッセージから干渉減少要求を取得するモジュール１１２０と、干渉減少要求に基づいて送信電力を減少させるモジュール１１２２とを備えている。
【００７６】
図１２は、ワイヤレスネットワーク中でシグナリングを送るプロセス１２００の設計を示している。プロセス１２００は、第１の局によって実行されてもよく、第１の局は、基地局、ＵＥ、中継器、または他の何らかのエンティティであってもよい。第１の局は、第１の局に対する干渉を減少させるように少なくとも１つの干渉局に要請する干渉減少要求を発生させる（ブロック１２１２）。第１の局は、干渉減少要求を送るために利用可能な直交リソースの中から、干渉減少要求に対して使用するための直交リソースを決定する（ブロック１２１４）。第１の局は、直交リソースに基づいて、干渉減少要求を少なくとも１つの干渉局に送る（ブロック１２１６）。
【００７７】
１つの設計では、直交リソースは、複数の直交シーケンスの中から選択された直交シーケンスを含んでいてもよい。別の設計では、直交リソースは、複数の時間間隔の中から選択された時間間隔を含んでいてもよい。さらに別の設計では、直交リソースは、複数の周波数リソースの中から選択された周波数リソースを含んでいてもよい。一般的に、直交リソースは、任意のコード、時間、周波数、および／または他のリソースを含んでいてもよい。
【００７８】
１つの設計では、直交リソースは、直交シーケンスを含んでいてもよい。第１の局は、直交シーケンスに基づいて、リソースセグメントにわたって干渉減少要求を拡散させてもよい。リソースセグメントは、複数のシンボル期間中に複数の副搬送波をカバーしてもよい。第１の局は、リソースセグメントにわたって拡散された干渉減少要求を含む信号を発生させてもよい。そして、第１の局は、少なくとも１つの干渉局にその信号を送ってもよい。
【００７９】
１つの設計では、第１の局が、干渉減少要求のメッセージ値に基づいて、複数の直交シーケンスの中から直交シーケンスを選択してもよい。そして、第１の局は、例えば、図６に示したように、リソースセグメントにわたって、選択された直交シーケンスをマッピングしてもよい。別の設計では、直交リソースは、基準信号シーケンスを含んでいてもよい。第１の局は、干渉減少要求を処理して、複数の変調シンボルを取得してもよい。第１の局は、複数の変調シンボルを基準信号シーケンスで拡散して、複数のデータシーケンスを取得してもよい。例えば、式（１）で示したように、それぞれの変調シンボルに対して、１つのデータシーケンスである。第１の局は、複数のデータシーケンスをリソースセグメントにマッピングしてもよく、それぞれのデータシーケンスは、例えば、図７に示したように、１つのシンボル期間中に複数の副搬送波にわたってマッピングされている。第１の局はまた、時間および／または周波数にわたって、干渉減少要求を他の方法で拡散させてもよい。例えば、第１の局は、１つの副搬送波上で複数のシンボル期間における時間にわたって、１つのシンボル期間中に複数の副搬送波上の周波数等にわたって、干渉減少要求を拡散させてもよい。
【００８０】
１つの設計では、第１の局が、第１の局に対するターゲット干渉レベルに基づいて、干渉減少要求に対する送信電力を決定してもよい。第１の局は、決定した送信電力レベルで干渉減少要求を送ってもよい。別の設計では、第１の局は、固定送信電力レベルで干渉減少要求を送ってもよい。
【００８１】
１つの設計では、第１の局が、ユニキャストメッセージとして、干渉減少要求をそれぞれの干渉局に送ってもよい。別の設計では、第１の局が、ブロードキャストメッセージとして、干渉減少要求をすべての干渉局に送ってもよい。第１の局は、ＬＴＥの物理アップリンク制御チャネル（ＰＵＣＣＨ）上で、または、他の何らかのチャネル上で、干渉減少要求を送ってもよい。
【００８２】
図１３は、ワイヤレスネットワーク中でシグナリングを送る装置１３００の設計を示している。装置１３００は、第１の局に対する干渉を減少させるように少なくとも１つの干渉局に要請する干渉減少要求を発生させるモジュール１３１２と、干渉減少要求を送るために利用可能な直交リソース間からの干渉減少要求に対して使用するための直交リソースを決定するモジュール１３１４と、直交リソースに基づいて干渉減少要求を少なくとも１つの干渉局に送るモジュール１３１６とを備えている。
【００８３】
図１４は、ワイヤレスネットワーク中でシグナリングを受信するプロセス１４００の設計を示している。プロセス１４００は、第１の局によって実行されてもよく、第１の局は、基地局、ＵＥ、中継器、または他の何らかのエンティティであってもよい。第１の局は、干渉減少要求を送るために利用可能な直交リソースに基づいて送られた干渉減少要求を検出する（ブロック１４１２）。利用可能な直交リソースは、コード、時間、周波数、および／または他のリソースを含んでいてもよい。１つの設計では、利用可能な直交リソースは、複数の直交シーケンスを含んでいてもよい。第１の局が、複数のシンボル期間中に複数の副搬送波をカバーするリソースセグメントから受信シンボルを取得してもよい。第１の局は、複数の直交シーケンスに基づいて、受信シンボルを逆拡散して、複数の逆拡散シンボルを取得してもよい。第１の局は、複数の逆拡散シンボルに基づいて、リソースセグメント中で送られた干渉減少要求を検出してもよい。
【００８４】
複数の直交シーケンスのうちの１つを有するリソースセグメントにわたって干渉減少要求を拡散することによって、送信機局が干渉減少要求を送ってもよい。第１の局は、送信機局によって実行される拡散と相補的な方法で、受信シンボルを逆拡散してもよい。ブロック１４１２は、図６で示した設計に適用可能であるかもしれないが、ブロック１４１２の１つの設計では、第１の局が、受信シンボルをそれぞれの直交シーケンスで逆拡散し、対応する逆拡散シンボルを取得してもよい。第１の局は、それぞれの逆拡散シンボルの受信電力を決定してもよく、しきい値を超える受信電力を有するそれぞれの逆拡散シンボルに対して干渉減少要求を宣言してもよい。
【００８５】
ブロック１４１２は、図７で示した設計に適用可能であるかもしれないが、ブロック１４１２の別の設計では、第１の局が、リソースセグメント中のそれぞれのシンボル期間に対する受信シンボルをそれぞれの直交シーケンスで逆拡散し、それぞれのシンボル期間中のそれぞれの直交シーケンスに対する逆拡散シンボルを取得する。第１の局は、その直交シーケンスに対する逆拡散シンボルに基づいて、それぞれの直交シーケンスに対する受信電力を決定してもよい。しきい値を超える受信電力を有するそれぞれの直交シーケンスに対して、第１の局は、その直交シーケンスにより取得されたすべての逆拡散シンボルをデコードし、検出した干渉減少要求を復元させてもよい。
【００８６】
第１の局が、検出した干渉減少要求に基づいて、その送信電力を減少させる（ブロック１４１４）。１つの設計では、第１の局は、先に記述したように、検出した干渉減少要求の受信電力を決定してもよく、検出した干渉減少要求の受信電力に基づいて、その送信電力を決定してよい。第１の局はまた、他の方法で、その送信電力を決定してもよい。
【００８７】
図１５は、ワイヤレスネットワーク中でシグナリングを受信する装置１５００の設計を示している。装置１５００は、干渉減少要求を送るために利用可能な直交リソースに基づいて送られた干渉減少要求を検出するモジュール１５１２と、検出した干渉減少要求に基づいて第１の基地局の送信電力を減少させるモジュール１５１４とを備えている。
【００８８】
図９、１１、１３、および１５におけるモジュールは、プロセッサ、電子デバイス、ハードウェアデバイス、電子コンポーネント、論理回路、メモリ、ソフトウェアコード、ファームウェアコード等、またはこれらの任意の組み合わせたものを含んでいてもよい。
【００８９】
図１６は、基地局１１０およびＵＥ１２０の設計のブロック図を示しており、基地局１１０およびＵＥ１２０は、図１における、基地局のうちの１つ、および、ＵＥのうちの１つであってもよい。基地局１１０には、Ｕ本のアンテナ１６３４ａないし１６３４ｔが備えられていてもよく、ＵＥ１２０にはＶ本のアンテナ１６５２ａないし１６５２ｖが備えられていてもよい。ここで、一般的に、Ｕ≧１であり、Ｖ≧１である。
【００９０】
基地局１１０では、送信プロセッサ１６２０が、１つ以上のＵＥに対するデータを、データ源１６１２から受け取り、データを処理（例えば、エンコード、インターリーブ、および変調）し、データシンボルを提供してもよい。送信プロセッサ１６２０はまた、（例えば、図２および図３で示したメッセージに対する）制御情報を制御装置／プロセッサ１６４０から受け取り、制御情報を処理して、制御シンボルを提供してもよい。送信プロセッサ１６２０はまた、１つ以上の基準信号またはパイロットに対する基準信号シンボルを発生させてもよい。送信（ＴＸ）複数入力複数出力（ＭＩＭＯ）プロセッサ１６３０は、適用できるならば、空間処理（例えば、プレコーディング）をデータシンボル、制御シンボル、および／または基準信号シンボル上で実行してもよく、Ｕ個の出力シンボルストリームをＵ個の変調器（ＭＯＤ）１６３２ａないし１６３２ｕに提供してもよい。それぞれの変調器１６３２は、（例えば、ＯＦＤＭ等のために）各出力シンボルストリームを処理して、出力サンプルストリームを取得してもよい。それぞれの変調器１６３２は、出力サンプルストリームをさらに処理（例えば、アナログ変換、増幅、フィルタリング、およびアップコンバート）し、ダウンリンク信号を取得してもよい。変調器１６３２ａないし１６３２ｔからのＵ個のダウンリンク信号は、それぞれ、Ｕ本のアンテナ１６３４ａないし１６３４ｕを通して送信されてもよい。
【００９１】
ＵＥ１２０では、アンテナ１６５２ａないし１６５２ｖが、ダウンリンク信号を基地局１１０から受信し、それぞれ、受信信号を復調器（ＤＥＭＯＤ）１６５４ａないし１６５４ｖに提供してもよい。それぞれの復調器１６５４は、各受信信号を調整（例えば、フィルタリング、増幅、ダウンコンバート、およびデジタル化）して、入力サンプルを取得してもよい。それぞれの復調器１６５４は、（例えば、ＯＦＤＭ等のために）入力サンプルをさらに処理して、受信シンボルを取得してもよい。ＭＩＭＯ検出器１６５６は、受信シンボルをＶ個の復調器１６５４ａないし１６５４ｖすべてから得て、適用できるならば、受信シンボル上でＭＩＭＯ検出を実行し、検出されたシンボルを提供してもよい。受信プロセッサ１６５８は、検出されたシンボルを処理（例えば、復調、デインターリーブ、およびデコード）し、ＵＥ１２０に対するデコードされたデータをデータシンク１６６０に提供し、デコードされた制御情報を制御装置／プロセッサ１６８０に提供してもよい。
【００９２】
アップリンク上で、ＵＥ１２０では、送信プロセッサ１６６４が、データをデータ源１６６２から、そして制御情報を制御装置／プロセッサ１６８０から受け取り、処理してもよい。送信プロセッサ１６６４はまた、１つ以上の基準信号に対する基準信号を発生させてもよい。送信プロセッサ１６６４からのシンボルは、適用できるならば、ＴＸ ＭＩＭＯプロセッサ１６６６によってプレコーディングされ、変調器１６５４ａないし１６５４ｖによってさらに処理され、基地局１１０に送信されてもよい。基地局１１０において、ＵＥ１２０からのアップリンク信号は、アンテナ１６３４によって受信され、復調器１６３２によって処理され、適用できるならば、ＭＩＭＯ検出器１６３６によって検出され、受信プロセッサ１６３８によってさらに処理され、ＵＥ１２０によって送られたデータおよび制御情報を取得してもよい。
【００９３】
制御装置／プロセッサ１６４０および１６８０は、それぞれ、基地局１１０およびＵＥ１２０における動作を指示してもよい。基地局１１０におけるプロセッサ１６４０および／または他のプロセッサおよびモジュールは、図８中のプロセス８００、図１０中のプロセス１０００、図１２中のプロセス１２００、図１４中のプロセス１４００、および／またはここで記述した技術に対する他のプロセスを実行または指示してもよい。ＵＥ１２０におけるプロセッサ１６８０および／または他のプロセッサおよびモジュールはまた、プロセス８００、プロセス１０００、プロセス１２００、プロセス１４００、および／またはここで記述した技術に対する他のプロセスを実行または指示してもよい。メモリ１６４２および１６８２は、それぞれ、基地局１１０およびＵＥ１２０に対するデータおよびプログラムコードを記憶してもよい。スケジューラ１６４４は、ダウンリンクおよびアップリンク上でのデータ送信に対してＵＥをスケジューリングし、リソース許可をスケジューリングされたＵＥに提供してもよい。
【００９４】
さまざまな異なるテクノロジーおよび技術のうちの任意のものを使用して、情報および信号を表してもよいことを、当業者は理解するだろう。例えば、上記の詳細な説明全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されてもよい。
【００９５】
さらに、ここでの開示に関連して記述した、さまざまな例示的な論理ブロック、モジュール、回路およびアルゴリズムステップが、電子ハードウェア、コンピュータソフトウェア、あるいは双方を組み合わせたものとして実現されてもよいことを、当業者はさらに正しく認識するだろう。ハードウェアおよびソフトウェアのこの互換性を明確に図示するために、さまざまな例示的なコンポーネント、ブロック、モジュール、回路およびステップを、一般的に、これらの機能性の態様から上記に記述している。この機能性が、ハードウェアまたはソフトウェアとして実現されるか否かは、システム全体に課せられている特定のアプリケーションおよび設計制約に依存する。熟練者は、それぞれの特定のアプリケーションの方法を変えて、記述した機能性を実現するかもしれないが、このようなインプリメンテーションの決定は、本開示の範囲から逸脱が生じるとして解釈されるべきでない。
【００９６】
ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現されても、あるいは、実行されてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現されてもよい。
【００９７】
ここでの開示に関連して記述した方法またはアルゴリズムのステップは、ハードウェアで、プロセッサにより実行されるソフトウェアモジュールで、あるいは、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体は、プロセッサに不可欠であるかもしれない。プロセッサおよび記憶媒体は、ＡＳＩＣに存在していてもよい。ＡＳＩＣは、ユーザ端末に存在していてもよい。代替実施形態では、プロセッサおよび記憶媒体は、ユーザ端末中にディスクリートコンポーネントとして存在していてもよい。
【００９８】
１つ以上の例示的な設計では、記述した機能は、ハードウェア、ソフトウェア、ファームウェア、またはこれらの任意の組み合わせで実現されてもよい。ソフトウェアで実現された場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。また、あらゆる接続は、コンピュータ読み取り可能媒体と適切に呼ばれている。例えば、ソフトウェアが、ウェブサイトや、サーバから、あるいは同軸ケーブルや、ファイバ光ケーブル、撚り対、デジタル加入者線（ＤＳＬ）、または赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、ブルーレイ（登録商標）ディスクを含んでいてもよいが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００９９】
開示の先の説明は、当業者が本開示を作り、または使用できるように提供されている。開示に対するさまざまな修正は、当業者に容易に明らかになるであろう。また、ここで規定されている一般的な原理は、本開示の範囲の精神または範囲を逸脱することなく、他の変形に適用されてもよい。したがって、本開示は、ここに記述した例および設計に限定されることを意図しているものではないが、特許請求の範囲によって規定されている、ここで開示した原理および新規な特徴と矛盾しない最も広範囲に一致させるべきである。
以下に、本願出願の当初の特許請求の範囲に記載された発明を付記する。
［１］ワイヤレス通信ネットワーク中でシグナリングを送る方法において、
シグナリングメッセージを送るために予約されている１セットの副搬送波を決定することと、
前記シグナリングメッセージに基づいて、前記１セットの副搬送波中の少なくとも１つの副搬送波を選択することと、
複数のシンボル期間中に前記少なくとも１つの副搬送波上で、前記シグナリングメッセージを伝えるための信号を送ることとを含む方法。
［２］前記信号を送ることは、送信機局から、前記送信機局と非同期的に動作する少なくとも１つの受信機局に前記信号を送ることを含む上記［１］記載の方法。
［３］送信機局に対する干渉を減少させるように少なくとも１つの干渉局に要請する干渉減少要求を含む、前記シグナリングメッセージを発生させることをさらに含む上記［１］記載の方法。
［４］前記シグナリングメッセージは、０ないしＭ−１の範囲内の値を有し、ここで、Ｍは１よりも大きく、前記１セット中の副搬送波は、インデックス０ないしＭ−１に割り当てられており、Ｘのインデックスを持つ副搬送波は、前記シグナリングメッセージに対するＸの値に基づいて選択され、Ｘは０ないしＭ−１の範囲内である上記［１］記載の方法。
［５］前記信号を送ることは、前記複数のシンボル期間中に前記少なくとも１つの副搬送波上で、前記シグナリングメッセージを伝えるための位相連続信号を送ることを含む上記［１］記載の方法。
［６］前記１セットの副搬送波を決定することは、基地局の電力クラスに基づいて、複数のセットの副搬送波のうちの１つを選択することを含み、前記複数のセットの副搬送波は、異なる電力クラスの基地局によって、シグナリングメッセージの送信のために予約されている上記［１］記載の方法。
［７］前記１セットの副搬送波を決定することは、前記シグナリングメッセージに対する送信電力に基づいて、複数のセットの副搬送波のうちの１つを選択することを含み、前記複数のセットの副搬送波は、異なる送信電力レベルでのシグナリングメッセージの送信のために予約されている上記［１］記載の方法。
［８］前記１セットの副搬送波は、前記ワイヤレスネットワークにおける１つのセル中でシグナリングメッセージを送るために予約され、複数のセットの副搬送波は、前記ワイヤレスネットワークにおける異なるセル中でシグナリングメッセージを送るために予約される上記［１］記載の方法。
［９］前記１セットの副搬送波は、前記ワイヤレスネットワークにおけるすべてのセル中でシグナリングメッセージを送るために予約される上記［１］記載の方法。
［１０］ワイヤレス通信のための装置において、
シグナリングメッセージを送るために予約されている１セットの副搬送波を決定する手段と、
前記シグナリングメッセージに基づいて、前記１セットの副搬送波中の少なくとも１つの副搬送波を選択する手段と、
複数のシンボル期間中に前記少なくとも１つの副搬送波上で、前記シグナリングメッセージを伝えるための信号を送る手段とを具備する装置。
［１１］前記信号を送る手段は、送信機局から、前記送信機局と非同期的に動作する少なくとも１つの受信機局に前記信号を送る手段を備える上記［１０］記載の装置。
［１２］送信機局に対する干渉を減少させるように少なくとも１つの干渉局に要請する干渉減少要求を含む、前記シグナリングメッセージを発生させる手段をさらに具備する上記［１０］記載の装置。
［１３］前記信号を送る手段は、前記複数のシンボル期間中に前記少なくとも１つの副搬送波上で、前記シグナリングメッセージを伝えるための位相連続信号を送る手段を備える上記［１０］記載の装置。
［１４］ワイヤレス通信のための装置において、
シグナリングメッセージを送るために予約されている１セットの副搬送波を決定し、前記シグナリングメッセージに基づいて、前記１セットの副搬送波中の少なくとも１つの副搬送波を選択し、複数のシンボル期間中に前記少なくとも１つの副搬送波上で、前記シグナリングメッセージを伝えるための信号を送るように構成されている少なくとも１つのプロセッサを具備する装置。
［１５］前記少なくとも１つのプロセッサは、送信機局から、前記送信機局と非同期的に動作する少なくとも１つの受信機局に前記信号を送るように構成されている上記［１４］記載の装置。
［１６］前記少なくとも１つのプロセッサは、送信機局に対する干渉を減少させるように少なくとも１つの干渉局に要請する干渉減少要求を含む、前記シグナリングメッセージを発生させるように構成されている上記［１４］記載の装置。
［１７］前記少なくとも１つのプロセッサは、前記複数のシンボル期間中に前記少なくとも１つの副搬送波上で、前記シグナリングメッセージを伝えるための位相連続信号を送るように構成されている上記［１４］記載の装置。
［１８］コンピュータプログラムプロダクトにおいて、
シグナリングメッセージを送るために予約されている１セットの副搬送波を少なくとも１つのコンピュータに決定させるためのコードと、
前記シグナリングメッセージに基づいて、前記１セットの副搬送波中の少なくとも１つの副搬送波を前記少なくとも１つのコンピュータに選択させるためのコードと、
複数のシンボル期間中に前記少なくとも１つの副搬送波上で、前記シグナリングメッセージを伝えるための信号を前記少なくとも１つのコンピュータに送らせるためのコードとを含むコンピュータ読み取り可能媒体を含むコンピュータプログラムプロダクト。
［１９］ワイヤレス通信ネットワーク中でシグナリングを受信する方法において、
シグナリングメッセージを送るために予約されている１セットの副搬送波を決定することと、
前記１セットの副搬送波中のそれぞれの副搬送波に対する受信シンボルを取得することと、
前記副搬送波に対する前記受信シンボルに基づいて、前記１セットの副搬送波中のそれぞれの副搬送波の受信電力を決定することと、
それぞれの副搬送波の前記受信電力に基づいて、前記１セットの副搬送波上で送られたシグナリングメッセージを検出することとを含み、
それぞれのシグナリングメッセージは、複数のシンボル期間中に少なくとも１つの特定の副搬送波上で送られる方法。
［２０］前記検出したシグナリングメッセージから干渉減少要求を取得することと、
前記干渉減少要求に基づいて、送信電力を減少させることとをさらに含む上記［１９］記載の方法。
［２１］前記それぞれの副搬送波に対する受信シンボルを取得することは、前記シグナリングメッセージを送る送信機局と非同期的に動作する受信機局のシンボルタイミングに基づいて、それぞれの副搬送波に対する前記受信シンボルを取得することを含む上記［１９］記載の方法。
［２２］前記シグナリングメッセージを検出することは、
前記１セットの副搬送波中のそれぞれの副搬送波の前記受信電力を、しきい値と比較することと、
前記しきい値を超える受信電力を有するそれぞれの副搬送波上で、シグナリングメッセージを検出することと、
前記シグナリングメッセージが検出された前記副搬送波に基づいて、それぞれの検出したシグナリングメッセージに対する情報を取得することとを含む上記［１９］記載の方法。
［２３］異なる送信電力レベルで、または、異なる電力クラスの基地局によって、シグナリングメッセージを送るために予約されている複数のセットの副搬送波を決定することと、
前記複数のセットの副搬送波のそれぞれ上で送られたシグナリングメッセージを検出することとをさらに含む上記［１９］記載の方法。
［２４］ワイヤレス通信のための装置において、
シグナリングメッセージを送るために予約されている１セットの副搬送波を決定する手段と、
前記１セットの副搬送波中のそれぞれの副搬送波に対する受信シンボルを取得する手段と、
前記副搬送波に対する前記受信シンボルに基づいて、前記１セットの副搬送波中のそれぞれの副搬送波の受信電力を決定する手段と、
それぞれの副搬送波の前記受信電力に基づいて、前記１セットの副搬送波上で送られたシグナリングメッセージを検出する手段とを具備し、
それぞれのシグナリングメッセージは、複数のシンボル期間中に少なくとも１つの特定の副搬送波上で送られる装置。
［２５］前記検出したシグナリングメッセージから干渉減少要求を取得する手段と、
前記干渉減少要求に基づいて、送信電力を減少させる手段とをさらに具備する上記［２４］記載の装置。
［２６］前記それぞれの副搬送波に対する受信シンボルを取得する手段は、前記シグナリングメッセージを送る送信機局と非同期的に動作する受信機局のシンボルタイミングに基づいて、それぞれの副搬送波に対する前記受信シンボルを取得する手段を備える上記［２４］記載の装置。
［２７］前記シグナリングメッセージを検出する手段は、
前記１セットの副搬送波中のそれぞれの副搬送波の前記受信電力を、しきい値と比較する手段と、
前記しきい値を超える受信電力を有するそれぞれの副搬送波上で、シグナリングメッセージを検出する手段と、
前記シグナリングメッセージが検出された前記副搬送波に基づいて、それぞれの検出したシグナリングメッセージに対する情報を取得する手段とを備える上記［２４］記載の装置。
［２８］ワイヤレス通信ネットワーク中でシグナリングを送る方法において、
第１の局に対する干渉を減少させるように少なくとも１つの干渉局に要請する干渉減少要求を発生させることと、
干渉減少要求を送るために利用可能な直交リソースの中から、前記干渉減少要求に対して使用するための直交リソースを決定することと、
前記直交リソースに基づいて、前記干渉減少要求を前記少なくとも１つの干渉局に送ることとを含む方法。
［２９］前記直交リソースは、干渉減少要求を送るために利用可能な複数の直交シーケンスの中から選択された直交シーケンスを含む上記［２８］記載の方法。
［３０］前記直交シーケンスは、干渉減少要求を送るために利用可能な複数の時間間隔の中から選択された時間間隔を含む上記［２８］記載の方法。
［３１］前記直交リソースは、干渉減少要求を送るために利用可能な複数の周波数リソースの中から選択された周波数リソースを含む上記［２８］記載の方法。
［３２］前記干渉減少要求を送ることは、
前記直交シーケンスに基づいて、リソースセグメントにわたって、前記干渉減少要求を拡散することと、
前記リソースセグメントにわたって拡散された前記干渉減少要求を含む信号を発生させることと、
前記少なくとも１つの干渉局に前記信号を送ることとを含み、
前記リソースセグメントは、複数のシンボル期間中に複数の副搬送波をカバーする上記［２９］記載の方法。
［３３］前記干渉減少要求を拡散することは、
前記干渉減少要求のメッセージ値に基づいて、前記複数の直交シーケンスの中から前記直交シーケンスを選択することと、
前記リソースセグメントにわたって、前記選択された直交シーケンスをマッピングすることとを含む上記［３２］記載の方法。
［３４］前記直交リソースは、基準信号シーケンスを含み、
前記干渉減少要求を送ることは、
前記干渉減少要求を処理して、複数の変調シンボルを取得することと、
前記複数の変調シンボルを前記基準信号シーケンスで拡散し、複数のデータシーケンスを取得することと、
前記複数のデータシーケンスを、複数のシンボル期間中に複数の副搬送波をカバーするリソースセグメントにマッピングすることとを含み、
１つのデータシーケンスは、それぞれの変調シンボルに対するものであり、
それぞれのデータシーケンスは、１つのシンボル期間中に前記複数の副搬送波にわたってマッピングされる上記［２８］記載の方法。
［３５］前記干渉減少要求を送ることは、
前記第１の局に対するターゲット干渉レベルに基づいて、前記干渉減少要求に対する送信電力を決定することと、
前記干渉減少要求を前記決定された送信電力で送ることとを含む上記［２８］記載の方法。
［３６］リソースインデックスと、優先順位レベルと、空間フィードバック情報と、送信機識別子（ＩＤ）とのうちの少なくとも１つを含む、前記干渉減少要求を発生させることをさらに含む上記［２８］記載の方法。
［３７］前記干渉減少要求を送ることは、ユニキャストメッセージとして前記干渉減少要求を前記少なくとも１つの干渉局のそれぞれに送ることを含む上記［２８］記載の方法。
［３８］前記干渉減少要求を送ることは、ブロードキャストメッセージとして前記干渉減少要求をすべての干渉局に送ることを含む上記［２８］記載の方法。
［３９］前記干渉減少要求を送ることは、物理アップリンク制御チャネル（ＰＵＣＣＨ）上で前記干渉減少要求を送ることを含む上記［２８］記載の方法。
［４０］ワイヤレス通信のための装置において、
第１の局に対する干渉を減少させるように少なくとも１つの干渉局に要請する干渉減少要求を発生させる手段と、
干渉減少要求を送るために利用可能な直交リソースの中から、前記干渉減少要求に対して使用するための直交リソースを決定する手段と、
前記直交リソースに基づいて、前記干渉減少要求を前記少なくとも１つの干渉局に送る手段とを具備する装置。
［４１］前記直交リソースは、複数の直交シーケンスの中から選択された直交シーケンスを含み、
前記干渉減少要求を送る手段は、
前記直交シーケンスに基づいて、リソースセグメントにわたって、前記干渉減少要求を拡散する手段と、
前記リソースセグメントにわたって拡散された前記干渉減少要求を含む信号を発生させる手段と、
前記少なくとも１つの干渉局に前記信号を送る手段とを備え、
前記リソースセグメントは、複数のシンボル期間中に複数の副搬送波をカバーする上記［４０］記載の装置。
［４２］前記干渉減少要求を拡散する手段は、
前記干渉減少要求のメッセージ値に基づいて、前記複数の直交シーケンスの中から前記直交シーケンスを選択する手段と、
前記リソースセグメントにわたって、前記選択された直交シーケンスをマッピングする手段とを備える上記［４１］記載の装置。
［４３］前記直交リソースは、基準信号シーケンスを含み、
前記干渉減少要求を送る手段は、
前記干渉減少要求を処理して、複数の変調シンボルを取得する手段と、
前記複数の変調シンボルを前記基準信号シーケンスで拡散し、複数のデータシーケンスを取得する手段と、
前記複数のデータシーケンスを、複数のシンボル期間中に複数の副搬送波をカバーするリソースセグメントにマッピングする手段とを具備し、
１つのデータシーケンスは、それぞれの変調シンボルに対するものであり、
それぞれのデータシーケンスは、１つのシンボル期間中に前記複数の副搬送波にわたってマッピングされる上記［４０］記載の装置。
［４４］ワイヤレス通信ネットワーク中でシグナリングを受信する方法において、
前記干渉減少要求を送るために利用可能な直交リソースに基づいて送られた干渉減少要求を検出することと、
前記検出した干渉減少要求に基づいて、第１の基地局の送信電力を減少させることとを含む方法。
［４５］前記利用可能な直交リソースは、複数の直交シーケンスを含み、
前記干渉減少要求を検出することは、
複数のシンボル期間中に複数の副搬送波をカバーするリソースセグメントから、受信したシンボルを取得することと、
前記複数の直交シーケンスに基づいて、前記受信したシンボルを逆拡散して、複数の逆拡散シンボルを取得することと、
前記複数の逆拡散シンボルに基づいて、前記リソースセグメント中で送られた干渉減少要求を検出することとを含む上記［４４］記載の方法。
［４６］それぞれの干渉減少要求は、前記リソースセグメントにわたって、前記複数の直交シーケンスのうちの１つで前記干渉減少要求を拡散することによって送られる上記［４５］記載の方法。
［４７］前記受信シンボルを逆拡散することは、前記受信シンボルを前記複数の直交シーケンスのそれぞれで逆拡散して、前記複数の逆拡散シンボルのうちの対応する１つを取得することを含み、
前記干渉減少要求を検出することは、
それぞれの逆拡散シンボルの受信電力を決定することと、
しきい値を超える受信電力を有するそれぞれの逆拡散シンボルに対して干渉減少要求を検出することとを含む上記［４５］記載の方法。
［４８］前記受信シンボルを逆拡散することは、前記リソースセグメント中のそれぞれのシンボル期間に対する前記受信シンボルを前記複数の直交シーケンスのそれぞれで逆拡散し、それぞれのシンボル期間中にそれぞれの直交シーケンスに対する逆拡散シンボルを取得することを含み、
前記干渉減少要求を検出することは、
前記直交シーケンスに対する逆拡散シンボルに基づいて、前記複数の直交シーケンスのそれぞれに対する受信電力を決定することと、
しきい値を超える受信電力を有するそれぞれの直交シーケンスに対して、前記直交シーケンスにより取得された逆拡散シンボルをデコードし、検出した干渉減少要求を復元させることを含む上記［４５］記載の方法。
［４９］前記第１の局の送信電力を減少させることは、
検出した干渉減少要求の受信電力を決定することと、
前記検出した干渉減少要求の前記受信電力に基づいて、前記第１の局の前記送信電力を決定することとを含む上記［４４］記載の方法。
［５０］ワイヤレス通信のための装置において、
前記干渉減少要求を送るために利用可能な直交リソースに基づいて送られた干渉減少要求を検出する手段と、
前記検出した干渉減少要求に基づいて、第１の局の送信電力を減少させる手段とを具備する装置。
［５１］前記利用可能な直交リソースは、複数の直交シーケンスを含み、
前記干渉減少要求を検出する手段は、
複数のシンボル期間中に複数の副搬送波をカバーするリソースセグメントから、受信したシンボルを取得する手段と、
前記複数の直交シーケンスに基づいて前記受信シンボルを逆拡散し、複数の逆拡散シンボルを取得する手段と、
前記複数の逆拡散シンボルに基づいて、前記リソースセグメント中で送られた干渉減少要求を検出する手段とを備える上記［５０］記載の装置。
［５２］前記受信シンボルを逆拡散する手段は、前記受信シンボルを前記複数の直交シーケンスのそれぞれで逆拡散し、前記複数の逆拡散シンボルのうちの対応する１つを取得する手段を備え、
前記干渉減少要求を検出する手段は、
それぞれの逆拡散シンボルの受信電力を決定する手段と、
しきい値を超える受信電力を有するそれぞれの逆拡散シンボルに対して干渉減少要求を検出する手段とを備える上記［５１］記載の装置。
［５３］前記受信シンボルを逆拡散する手段は、前記リソースセグメント中のそれぞれのシンボル期間に対する前記受信シンボルを前記複数の直交シーケンスのそれぞれで逆拡散し、それぞれのシンボル期間中にそれぞれの直交シーケンスに対する逆拡散シンボルを取得する手段を備え、
前記干渉減少要求を検出する手段は、
前記直交シーケンスに対する逆拡散シンボルに基づいて、前記複数の直交シーケンスのそれぞれに対する受信電力を決定する手段と、
しきい値を超える受信電力を有するそれぞれの直交シーケンスにより取得した逆拡散シンボルをデコードし、検出した干渉減少要求を復元させる手段とを備える上記［５１］記載の装置。
【図１】
0005456759.tif 000006
【図２】
0005456759.tif 000007
【図３】
0005456759.tif 000008
【図４Ａ】
0005456759.tif 000009
【図４Ｂ】
0005456759.tif 000010
【図５】
0005456759.tif 000011
【図６】
0005456759.tif 000012
【図７】
0005456759.tif 000013
【図８】
0005456759.tif 000014
【図９】
0005456759.tif 000015
【図１０】
0005456759.tif 000016
【図１１】
0005456759.tif 000017
【図１２】
0005456759.tif 000018
【図１３】
0005456759.tif 000019
【図１４】
0005456759.tif 000020
【図１５】
0005456759.tif 000021
【図１６】
0005456759.tif 000022